(57)【要約】【課題】機器が相互に接続されたシステムにて低コストに消費電力の低減を図る。【解決手段】スイッチ装置は、各機器とそれぞれ通信ケーブルを介して接続され、当該各機器とそれぞれ信号送受信を行う各送受信手段と、上記送受信手段間の接続交換を行うことにより、上記機器間の接続交換を行う接続交換手段と、を備える。そして、さらに、上記送受信手段の信号受信状態を監視する受信状態監視手段と、上記受信状態監視手段による監視結果に応じて、当該受信状態監視手段が監視した上記送受信手段が上記通信ケーブルを介して接続されている上記機器と接続関係にある他の上記機器が上記通信ケーブルを介して接続されている他の上記送受信手段に対して信号送信停止処理を行う送信停止手段と、を備える。【選択図】図９
2010080999.tif 000002
【特許請求の範囲】
【請求項１】
各機器とそれぞれ通信ケーブルを介して接続され、当該各機器とそれぞれ信号送受信を行う各送受信手段と、
前記送受信手段間の接続交換を行うことにより、前記機器間の接続交換を行う接続交換手段と、を備えると共に、
前記送受信手段の信号受信状態を監視する受信状態監視手段と、
前記受信状態監視手段による監視結果に応じて、当該受信状態監視手段が監視した前記送受信手段が前記通信ケーブルを介して接続されている前記機器と接続関係にある他の前記機器が前記通信ケーブルを介して接続されている他の前記送受信手段に対して信号送信停止処理を行う送信停止手段と、を備えた、
ことを特徴とするスイッチ装置。
【請求項２】
前記通信ケーブルは光伝送ケーブルであると共に、前記送受信手段は、前記機器と前記光伝送ケーブルとを介して通信する光信号を光−電気変換する光−電気変換器であり、
前記受信状態監視手段は、前記光−電気交換器の受信光量を監視する光量監視手段を備え、
前記送信停止手段は、前記他の送受信手段である他の前記光−電気交換器に対して送信光量を消失させる光量消失手段を備えた、
ことを特徴とする請求項１記載のスイッチ装置。
【請求項３】
前記光量監視手段は、前記光−電気変換器の受信光量が０であるか否かを監視し、
前記光量消失手段は、前記光量監視手段の監視結果により前記受信光量が０となった前記光−電気変換器が前記光伝送ケーブルを介して接続されている前記機器と接続関係にある前記他の機器が前記光伝送ケーブルを介して接続されている前記他の光−電気変換器の送信光量を消失させる、
ことを特徴とする請求項２記載のスイッチ装置。
【請求項４】
前記光量消失手段は、前記光量監視手段の監視結果により、前記機器間の予め設定された接続関係を表す接続経路情報に基づいて特定の前記機器と接続関係にある全ての前記機器がそれぞれ前記光伝送ケーブルを介して接続されている全ての前記光−電気変換器の受信光量が０となった場合に、前記特定の機器が前記光伝送ケーブルを介して接続されている前記他の光−電気変換器の送信光量を消失させる、
ことを特徴とする請求項２又は３記載のスイッチ装置。
【請求項５】
前記受信状態監視手段は、予め設定された時間間隔にて作動し、
前記送信停止手段は、前記受信状態監視手段が前記送受信手段の信号受信状態を検出するごとに作動する、
ことを特徴とする請求項１，２，３又は４記載のスイッチ装置。
【請求項６】
前記機器間の予め設定された接続関係を表す接続経路情報を記憶した接続経路情報記憶手段を備え、
前記送信停止手段は、前記受信状態監視手段が監視した前記送受信手段が前記通信ケーブルを介して接続されている前記機器と前記接続経路情報に基づいて接続関係にある他の前記機器が前記通信ケーブルを介して接続されている他の前記送受信手段に対して信号送信停止処理を行う、
ことを特徴とする請求項１，２，３，４又は５記載のスイッチ装置。
【請求項７】
前記受信状態監視手段にて監視される前記送受信手段が前記通信ケーブルを介して接続される前記機器は、ホストコンピュータであり、
前記送信停止手段にて信号送信停止処理が行われる前記他の送受信手段が前記通信ケーブルを介して接続される前記他の機器は、ストレージ装置である、
ことを特徴とする請求項１，２，３，４，５又は６記載のスイッチ装置。
【請求項８】
各機器とそれぞれ通信ケーブルを介して接続され当該各機器とそれぞれ信号送受信を行う各送受信手段と、前記送受信手段間の接続交換を行うことにより前記機器間の接続交換を行う接続交換手段と、を備えたスイッチ装置と、前記機器とを備え、
前記スイッチ装置は、
前記送受信手段の信号受信状態を監視する受信状態監視手段と、
前記受信状態監視手段による監視結果に応じて、当該受信状態監視手段が監視した前記送受信手段が前記通信ケーブルを介して接続されている前記機器と接続関係にある他の前記機器が前記通信ケーブルを介して接続されている他の前記送受信手段に対して信号送信停止処理を行う送信停止手段と、を備え、
前記機器は、自装置が信号を受信していない状態であるか否かを検出する受信停止検出手段と、当該受信停止検出手段にて信号を受信していない状態であることを検出した場合に自装置の電源を切断する電源切断手段と、を備えた、
ことを特徴とする接続システム。
【請求項９】
前記通信ケーブルは光伝送ケーブルであると共に、前記スイッチ装置が備える前記送受信手段は、前記機器と前記光伝送ケーブルとを介して通信する光信号を光−電気変換する光−電気変換器であり、
前記スイッチ装置が備える前記受信状態監視手段は、前記光−電気交換器の受信光量を監視する光量監視手段を備えると共に、前記スイッチ装置が備える前記送信停止手段は、前記他の送受信手段である他の前記光−電気交換器に対して送信光量を消失させる光量消失手段を備え、
前記機器は、前記スイッチ装置に接続された前記光伝送ケーブルと接続する光−電気変換器を備えると共に、前記機器が備える前記受信停止検出手段は、自装置に設けられた前記光−電気変換器の受信光量が０であるか否かを検出し、前記機器が備える前記電源切断手段は、前記受信停止検出手段にて前記光−電気変換器の受信光量が０であることを検出した場合に自装置の電源を切断する、
ことを特徴とする請求項８記載の接続システム。
【請求項１０】
前記スイッチ装置が備える前記受信状態監視手段にて監視される前記送受信手段が前記通信ケーブルを介して接続される前記機器は、ホストコンピュータであり、
前記スイッチ装置が備える前記送信停止手段にて信号送信停止処理が行われる前記他の送受信手段が前記通信ケーブルを介して接続される前記他の機器は、ストレージ装置である、
ことを特徴とする請求項８又は９記載の接続システム。
【請求項１１】
各機器とそれぞれ通信ケーブルを介して接続され当該各機器とそれぞれ信号送受信を行う各送受信手段と、前記送受信手段間の接続交換を行うことにより前記機器間の接続交換を行う接続交換手段と、を備えたスイッチ装置に、
前記送受信手段の信号受信状態を監視する受信状態監視手段と、
前記受信状態監視手段による監視結果に応じて、当該受信状態監視手段が監視した前記送受信手段が前記通信ケーブルを介して接続されている前記機器と接続関係にある他の前記機器が前記通信ケーブルを介して接続されている他の前記送受信手段に対して信号送信停止処理を行う送信停止手段と、
を実現させるためのプログラム。
【請求項１２】
前記通信ケーブルは光伝送ケーブルであると共に、前記送受信手段は、前記機器と前記光伝送ケーブルとを介して通信する光信号を光−電気変換する光−電気変換器である場合に、
前記受信状態監視手段は、前記光−電気交換器の受信光量を監視し、
前記送信停止手段は、前記他の送受信手段である他の前記光−電気交換器に対して送信光量を消失させる、
ことを特徴とする請求項１１記載のプログラム。
【請求項１３】
各機器とそれぞれ通信ケーブルを介して接続され当該各機器とそれぞれ信号送受信を行う各送受信手段と、前記送受信手段間の接続交換を行うことにより前記機器間の接続交換を行う接続交換手段と、を備えたスイッチ装置にて、
前記送受信手段の信号受信状態を監視する受信状態監視工程と、
前記受信状態監視工程による監視結果に応じて、当該受信状態監視工程が監視した前記送受信手段が前記通信ケーブルを介して接続されている前記機器と接続関係にある他の前記機器が前記通信ケーブルを介して接続されている他の前記送受信手段に対して信号送信停止処理を行う送信停止工程と、
を有することを特徴とする接続制御方法。
【請求項１４】
前記通信ケーブルは光伝送ケーブルであると共に、前記送受信手段は、前記機器と前記光伝送ケーブルとを介して通信する光信号を光−電気変換する光−電気変換器である場合に、
前記受信状態監視工程は、前記光−電気交換器の受信光量を監視し、
前記送信停止工程は、前記他の送受信手段である他の前記光−電気交換器に対して送信光量を消失させる、
ことを特徴とする請求項１３記載の接続制御方法。
【請求項１５】
前記送信停止工程にて送信光量を消失させた前記他の送受信手段に前記通信ケーブルを介して接続された前記他の機器が信号を受信していない状態であるか否かを検出する受信停止検出工程と、
前記受信停止検出工程にて前記他の機器が信号を受信していない状態であることを検出した場合に当該他の機器の電源を切断する電源切断工程と、
を有することを特徴とする請求項１３又は１４記載の接続制御方法。
【請求項１６】
前記受信停止検出工程は、前記他の機器が接続された前記通信ケーブルである光伝送ケーブルと接続し、当該他の機器に設けられた光−電気変換器の受信光量が０であるか否かを検出し、
前記電源切断工程は、前記受信停止検出工程にて前記光−電気変換器の受信光量が０であることを検出した場合に前記他の機器の電源を切断する、
を有することを特徴とする請求項１５記載の接続制御方法。
【発明の詳細な説明】
【技術分野】
【０００１】
本発明は、スイッチ装置にかかり、特に、複数の装置間の接続交換を行うスイッチ装置に関する。
【背景技術】
【０００２】
近年、種々の情報機器が普及し、これらの中には、機器同士が相互に接続してシステムを構成するものも多く存在している。例えば、ホストコンピュータとディスクアレイ装置とを接続し、コンピュータシステムを構成して利用することが可能である。
【０００３】
このようなコンピュータシステムでは、例えば、ホストコンピュータとディスクアレイ装置とを、光伝送ケーブルといった通信ケーブルによって接続している。そして、特に、近年では、特許文献１に示すように、複数のホストコンピュータと複数のディスクアレイ装置とを、光スイッチ装置を介して接続して構成したＳＡＮ（Storage Area Network）も普及している。
【０００４】
また、上述したような相互に接続されたシステムにて主従関係がある場合には、それらの電源を切断する順序が規定されている。例えば、上記ホストコンピュータとディスクアレイ装置とによるコンピュータシステムでは、通常は、ホストコンピュータが起動している間は常にディスクアレイ装置も起動されていなければならない。従って、ホストコンピュータの電源切断動作を完了してから、ディスクアレイ装置の電源を切断する必要がある。
【０００５】
【特許文献１】特開２００６−１７８７２０号公報
【特許文献２】特開平１１−３０５８８１号公報
【発明の開示】
【発明が解決しようとする課題】
【０００６】
しかしながら、上述したように電源切断順序が規定されているシステムにおいては、その電源切断作業に伴い種々の問題が生じる。例えば、電源切断作業を手動で行う場合には、ホストコンピュータの電源切断完了を待ってからディスクアレイ装置の電源を切断しなければならないため、切断作業に時間がかかる。また、ホストコンピュータの電源切断作業後に、例えば他の作業を行って時間が空くなどの理由により、ディスクアレイ装置の電源を切り忘れる、ということも起こりうる。その結果、無駄な電力の消費が生じる、という問題がある。
【０００７】
一方で、ホストコンピュータとディスクアレイ装置の電源を自動的に切断する技術として、特許文献２に開示された無停電電源装置（ＵＰＳ（Uninterruptible Power Supply））を利用したものがある。ところが、この場合には、無停電電源装置を組み込んだシステムを構築する必要があるため、システム構成が複雑となり、コストがかかる、という問題がある。
【０００８】
そして、上記ＳＡＮに上述した手動、自動の電源切断方法を適用した場合には、上記問題はさらに顕著に起こりうる。つまり、ＳＡＮの場合には、電源切断制御を行う装置が多く、また、ホストコンピュータとディスクアレイ装置の接続関係が複雑であるため、その電源切断手順も複雑となる。さらに、上述したようにＵＰＳを用いた場合には、必要とするＵＰＳも多くなり、コストが増大する、という問題が生じる。そして、このような問題は、上述したホストコンピュータとディスクアレイ装置が接続されたコンピュータシステムに限らず、あらゆる情報機器が相互に接続されたシステムにおいても問題となる。
【０００９】
このため、本発明の目的は、上述した課題である、機器が相互に接続されたシステムにおいて、低コストにて消費電力の低減を図る、ことにある。
【課題を解決するための手段】
【００１０】
かかる目的を達成するため本発明の一形態であるスイッチ装置は、
各機器とそれぞれ通信ケーブルを介して接続され、当該各機器とそれぞれ信号送受信を行う各送受信手段と、
上記送受信手段間の接続交換を行うことにより、上記機器間の接続交換を行う接続交換手段と、を備えると共に、
上記送受信手段の信号受信状態を監視する受信状態監視手段と、
上記受信状態監視手段による監視結果に応じて、当該受信状態監視手段が監視した上記送受信手段が上記通信ケーブルを介して接続されている上記機器と接続関係にある他の上記機器が上記通信ケーブルを介して接続されている他の上記送受信手段に対して信号送信停止処理を行う送信停止手段と、を備えた、
ことを特徴とする。
【００１１】
また、本発明の他の形態である接続システムは、
各機器とそれぞれ通信ケーブルを介して接続され当該各機器とそれぞれ信号送受信を行う各送受信手段と、上記送受信手段間の接続交換を行うことにより上記機器間の接続交換を行う接続交換手段と、を備えたスイッチ装置と、上記機器とを備え、
上記スイッチ装置は、
上記送受信手段の信号受信状態を監視する受信状態監視手段と、
上記受信状態監視手段による監視結果に応じて、当該受信状態監視手段が監視した上記送受信手段が上記通信ケーブルを介して接続されている上記機器と接続関係にある他の上記機器が上記通信ケーブルを介して接続されている他の上記送受信手段に対して信号送信停止処理を行う送信停止手段と、を備え、
上記機器は、自装置が信号を受信していない状態であるか否かを検出する受信停止検出手段と、当該受信停止検出手段にて信号を受信していない状態であることを検出した場合に自装置の電源を切断する電源切断手段と、を備えた、
ことを特徴とする。
【００１２】
また、本発明の他の形態であるプログラムは、
各機器とそれぞれ通信ケーブルを介して接続され当該各機器とそれぞれ信号送受信を行う各送受信手段と、上記送受信手段間の接続交換を行うことにより上記機器間の接続交換を行う接続交換手段と、を備えたスイッチ装置に、
上記送受信手段の信号受信状態を監視する受信状態監視手段と、
上記受信状態監視手段による監視結果に応じて、当該受信状態監視手段が監視した上記送受信手段が上記通信ケーブルを介して接続されている上記機器と接続関係にある他の上記機器が上記通信ケーブルを介して接続されている他の上記送受信手段に対して信号送信停止処理を行う送信停止手段と、
を実現させるためのプログラムである。
【００１３】
また、本発明の他の形態である接続制御方法は、
各機器とそれぞれ通信ケーブルを介して接続され当該各機器とそれぞれ信号送受信を行う各送受信手段と、上記送受信手段間の接続交換を行うことにより上記機器間の接続交換を行う接続交換手段と、を備えたスイッチ装置にて、
上記送受信手段の信号受信状態を監視する受信状態監視工程と、
上記受信状態監視工程による監視結果に応じて、当該受信状態監視工程が監視した上記送受信手段が上記通信ケーブルを介して接続されている上記機器と接続関係にある他の上記機器が上記通信ケーブルを介して接続されている他の上記送受信手段に対して信号送信停止処理を行う送信停止工程と、
を有することを特徴とする。
【発明の効果】
【００１４】
本発明は、以上のように構成されることにより、機器が相互に接続されたシステムにおいて、低コストにて消費電力の低減を図る、ことができる。
【発明を実施するための最良の形態】
【００１５】
本発明の一形態であるスイッチ装置は、
各機器とそれぞれ通信ケーブルを介して接続され、当該各機器とそれぞれ信号送受信を行う各送受信手段と、
上記送受信手段間の接続交換を行うことにより、上記機器間の接続交換を行う接続交換手段と、を備えると共に、
上記送受信手段の信号受信状態を監視する受信状態監視手段と、
上記受信状態監視手段による監視結果に応じて、当該受信状態監視手段が監視した上記送受信手段が上記通信ケーブルを介して接続されている上記機器と接続関係にある他の上記機器が上記通信ケーブルを介して接続されている他の上記送受信手段に対して信号送信停止処理を行う送信停止手段と、を備えた、
ことを特徴とする。
【００１６】
上記発明によると、スイッチ装置は、まず、送受信手段の信号受信状態を監視して、当該送受信手段に通信ケーブルを介して接続された機器の電源状態を監視する。そして、スイッチ装置は、監視している送受信手段の信号受信状態に応じて、当該送受信手段が接続されている機器と接続関係にある他の機器が接続されている他の送受信手段に対して、信号送信停止処理を行う。これにより、スイッチ装置から他の機器への信号の送信は停止状態となる。従って、他の機器は、当該自機器の信号受信状態を検出することで、電源を切断することが可能となり、例えば、自動的に電源を切断するよう設定することができる。その結果、複数の機器をスイッチ装置を介して接続交換する場合であっても、スイッチ装置に上述した機能を装備することで機器の電源切断を実現でき、低コストにて消費電力の低減を図ることができる。
【００１７】
そして、上記スイッチ装置では、
上記通信ケーブルは光伝送ケーブルであると共に、上記送受信手段は、上記機器と上記光伝送ケーブルとを介して通信する光信号を光−電気変換する光−電気変換器であり、
上記受信状態監視手段は、上記光−電気交換器の受信光量を監視する光量監視手段を備え、
上記送信停止手段は、上記他の送受信手段である他の上記光−電気交換器に対して送信光量を消失させる光量消失手段を備えた、
ことを特徴とする。
【００１８】
また、上記スイッチ装置では、
上記光量監視手段は、上記光−電気変換器の受信光量が０であるか否かを監視し、
上記光量消失手段は、上記光量監視手段の監視結果により上記受信光量が０となった上記光−電気変換器が上記光伝送ケーブルを介して接続されている上記機器と接続関係にある上記他の機器が上記光伝送ケーブルを介して接続されている上記他の光−電気変換器の送信光量を消失させる、
ことを特徴とする。
【００１９】
また、上記スイッチ装置では、
上記光量消失手段は、上記光量監視手段の監視結果により、上記機器間の予め設定された接続関係を表す接続経路情報に基づいて特定の上記機器と接続関係にある全ての上記機器がそれぞれ上記光伝送ケーブルを介して接続されている全ての上記光−電気変換器の受信光量が０となった場合に、上記特定の機器が上記光伝送ケーブルを介して接続されている上記他の光−電気変換器の送信光量を消失させる、
ことを特徴とする。
【００２０】
これにより、スイッチ装置に光伝送ケーブルで機器が接続されているシステムの場合には、光−電気変換器の受信光量を監視することで、接続されている機器の電源状態を容易に監視することができる。例えば、受信光量が０となった場合に、接続されている機器の電源が切断されていることを判定できる。そして、この機器と接続関係にある他の機器が接続された光−電気変換器の送信光量を消失させることで、他の機器への送信を停止し、当該他の機器が電源を切断してもよい状態であることを容易に認識することができる。特に、スイッチ装置にて他の装置（特定の装置）が複数の機器と接続関係にある場合には、これら複数の機器の受信光量が全て０になった場合を容易に検出でき、他の装置（特定の装置）の電源を切断することが可能となる。なお、「受信光量０」とは、受信光量がある閾値（例えば「−２０ｄＢｍ」）以下であることを表す。これは、ケーブルが接続されていない状態では、光量が０ではなく微弱光量を検出するケースがあるためである。
【００２１】
また、上記スイッチ装置では、
上記受信状態監視手段は、予め設定された時間間隔にて作動し、
上記送信停止手段は、上記受信状態監視手段が上記送受信手段の信号受信状態を検出するごとに作動する、
ことを特徴とする。
【００２２】
また、上記スイッチ装置では、
上記機器間の予め設定された接続関係を表す接続経路情報を記憶した接続経路情報記憶手段を備え、
上記送信停止手段は、上記受信状態監視手段が監視した上記送受信手段が上記通信ケーブルを介して接続されている上記機器と上記接続経路情報に基づいて接続関係にある他の上記機器が上記通信ケーブルを介して接続されている他の上記送受信手段に対して信号送信停止処理を行う、
ことを特徴とする。
【００２３】
また、上記スイッチ装置では、
上記受信状態監視手段にて監視される上記送受信手段が上記通信ケーブルを介して接続される上記機器は、ホストコンピュータであり、
上記送信停止手段にて信号送信停止処理が行われる上記他の送受信手段が上記通信ケーブルを介して接続される上記他の機器は、ストレージ装置である、
ことを特徴とする。
【００２４】
また、本発明の他の形態である接続システムは、
各機器とそれぞれ通信ケーブルを介して接続され当該各機器とそれぞれ信号送受信を行う各送受信手段と、上記送受信手段間の接続交換を行うことにより上記機器間の接続交換を行う接続交換手段と、を備えたスイッチ装置と、上記機器とを備え、
上記スイッチ装置は、
上記送受信手段の信号受信状態を監視する受信状態監視手段と、
上記受信状態監視手段による監視結果に応じて、当該受信状態監視手段が監視した上記送受信手段が上記通信ケーブルを介して接続されている上記機器と接続関係にある他の上記機器が上記通信ケーブルを介して接続されている他の上記送受信手段に対して信号送信停止処理を行う送信停止手段と、を備え、
上記機器は、自装置が信号を受信していない状態であるか否かを検出する受信停止検出手段と、当該受信停止検出手段にて信号を受信していない状態であることを検出した場合に自装置の電源を切断する電源切断手段と、を備えた、
ことを特徴とする。
【００２５】
そして、上記接続システムでは、
上記通信ケーブルは光伝送ケーブルであると共に、上記スイッチ装置が備える上記送受信手段は、上記機器と上記光伝送ケーブルとを介して通信する光信号を光−電気変換する光−電気変換器であり、
上記スイッチ装置が備える上記受信状態監視手段は、上記光−電気交換器の受信光量を監視する光量監視手段を備えると共に、上記スイッチ装置が備える上記送信停止手段は、上記他の送受信手段である他の上記光−電気交換器に対して送信光量を消失させる光量消失手段を備え、
上記機器は、上記スイッチ装置に接続された上記光伝送ケーブルと接続する光−電気変換器を備えると共に、上記機器が備える上記受信停止検出手段は、自装置に設けられた上記光−電気変換器の受信光量が０であるか否かを検出し、上記機器が備える上記電源切断手段は、上記受信停止検出手段にて上記光−電気変換器の受信光量が０であることを検出した場合に自装置の電源を切断する、
ことを特徴とする。
【００２６】
また、上記接続システムでは、
上記スイッチ装置が備える上記受信状態監視手段にて監視される上記送受信手段が上記通信ケーブルを介して接続される上記機器は、ホストコンピュータであり、
上記スイッチ装置が備える上記送信停止手段にて信号送信停止処理が行われる上記他の送受信手段が上記通信ケーブルを介して接続される上記他の機器は、ストレージ装置である、
ことを特徴とする。
【００２７】
また、本発明の他の形態であるプログラムは、
各機器とそれぞれ通信ケーブルを介して接続され当該各機器とそれぞれ信号送受信を行う各送受信手段と、上記送受信手段間の接続交換を行うことにより上記機器間の接続交換を行う接続交換手段と、を備えたスイッチ装置に、
上記送受信手段の信号受信状態を監視する受信状態監視手段と、
上記受信状態監視手段による監視結果に応じて、当該受信状態監視手段が監視した上記送受信手段が上記通信ケーブルを介して接続されている上記機器と接続関係にある他の上記機器が上記通信ケーブルを介して接続されている他の上記送受信手段に対して信号送信停止処理を行う送信停止手段と、
を実現させるためのプログラムである。
【００２８】
そして、上記プログラムでは、
上記通信ケーブルは光伝送ケーブルであると共に、上記送受信手段は、上記機器と上記光伝送ケーブルとを介して通信する光信号を光−電気変換する光−電気変換器である場合に、
上記受信状態監視手段は、上記光−電気交換器の受信光量を監視し、
上記送信停止手段は、上記他の送受信手段である他の上記光−電気交換器に対して送信光量を消失させる、
ことを特徴とする。
【００２９】
また、本発明の他の形態である接続制御方法は、
各機器とそれぞれ通信ケーブルを介して接続され当該各機器とそれぞれ信号送受信を行う各送受信手段と、上記送受信手段間の接続交換を行うことにより上記機器間の接続交換を行う接続交換手段と、を備えたスイッチ装置にて、
上記送受信手段の信号受信状態を監視する受信状態監視工程と、
上記受信状態監視工程による監視結果に応じて、当該受信状態監視工程が監視した上記送受信手段が上記通信ケーブルを介して接続されている上記機器と接続関係にある他の上記機器が上記通信ケーブルを介して接続されている他の上記送受信手段に対して信号送信停止処理を行う送信停止工程と、
を有することを特徴とする。
【００３０】
そして、上記接続制御方法では、
上記通信ケーブルは光伝送ケーブルであると共に、上記送受信手段は、上記機器と上記光伝送ケーブルとを介して通信する光信号を光−電気変換する光−電気変換器である場合に、
上記受信状態監視工程は、上記光−電気交換器の受信光量を監視し、
上記送信停止工程は、上記他の送受信手段である他の上記光−電気交換器に対して送信光量を消失させる、
ことを特徴とする。
【００３１】
また、上記接続制御方法では、
上記送信停止工程にて送信光量を消失させた上記他の送受信手段に上記通信ケーブルを介して接続された上記他の機器が信号を受信していない状態であるか否かを検出する受信停止検出工程と、
上記受信停止検出工程にて上記他の機器が信号を受信していない状態であることを検出した場合に当該他の機器の電源を切断する電源切断工程と、
を有することを特徴とする。
【００３２】
また、上記接続制御方法では、
上記受信停止検出工程は、上記他の機器が接続された上記通信ケーブルである光伝送ケーブルと接続し、当該他の機器に設けられた光−電気変換器の受信光量が０であるか否かを検出し、
上記電源切断工程は、上記受信停止検出工程にて上記光−電気変換器の受信光量が０であることを検出した場合に上記他の機器の電源を切断する、
を有することを特徴とする。
【００３３】
上述した構成を有する、接続システム、プログラム、又は、接続制御方法、の発明であっても、上記スイッチ装置と同様の作用を有するために、上述した本発明の目的を達成することができる。
【００３４】
以下、本発明に係る、スイッチ装置、接続システム、プログラム、及び、接続制御方法、の各実施形態について図１〜図９を参照しながら説明する。
【００３５】
＜実施形態１＞
本発明の第１の実施形態を、図１乃至図８を参照して説明する。図１は、システム全体の構成を示すブロック図である。図２は、光スイッチ装置の内部構成を示すブロック図である。図３は、光スイッチ装置による各機器の接続経路を示す図である。図４は、光スイッチ装置の詳細な構成を示す機能ブロック図である。図５は、ディスクアレイ装置の構成を示す機能ブロック図である。図６は、システム全体の動作を示すシーケンス図である。図７は、光スイッチ装置の動作を示すフローチャートである。図８は、ディスクアレイ装置の動作を示すフローチャートである。
【００３６】
［構成］
本実施形態における機器をスイッチ装置を介して接続した接続システムは、ファイバチャネル（Fibre Channel）技術を用いてストレージエリアネットワーク（ＳＡＮ：Storage Area Network）を構成したストレージシステムである。具体的には、図１に示すように、３台のホストコンピュータＡ（５１），Ｂ（５２），Ｃ（５３）と、３台のディスクアレイ装置Ａ（６１），Ｂ（６２），Ｃ（６３）とが、それぞれ光スイッチ装置１を介して接続しており、ＳＡＮを形成している。
【００３７】
そして、上記ホストコンピュータＡ（５１），Ｂ（５２），Ｃ（５３）は、それぞれ光伝送ケーブル１０１，１０２，１０３を介して光スイッチ装置１に接続している。これにより、各ホストコンピュータＡ，Ｂ，Ｃ（機器）は、それぞれ光伝送ケーブル１０１，１０２，１０３（通信ケーブル）を介してディスクアレイ装置Ａ，Ｂ，Ｃ（機器（他の機器））と通信を行うことが可能となる。
【００３８】
また、ホストコンピュータＡ（５１）は、別途、Ethernet（登録商標）やRS232といった汎用の通信ケーブル１１０を介して、光スイッチ装置１に接続している。そして、ホストコンピュータＡは、この汎用の通信ケーブル１１０を介して光スイッチ装置１と通信することで、当該光スイッチ装置１の設定を行ったり、接続経路情報を登録することができる。
【００３９】
ここで、接続経路情報とは、予め設定された各ホストコンピュータＡ，Ｂ，Ｃとディスクアレイ装置Ａ，Ｂ，Ｃとの接続関係を表す情報である。その一例を、図３を参照して説明する。この図の点線に示すような接続経路情報は、まず、ホストコンピュータＡについては、「ホストＡは、ディスディスクアレイＡ、ディスクアレイＢ、ディスクアレイＣにアクセスする」という情報となる。また、ホストコンピュータＢについての接続経路情報は、「ホストＢは、ディスディスクアレイＡ、ディスクアレイＣにアクセスする」という情報となる。また、ホストコンピュータＣについての接続経路情報は、「ホストＣはディスクアレイＣにアクセスする」という情報となる。なお、上述した接続設定情報は、例えば、オペレータがホストコンピュータＡに入力することで、当該ホストコンピュータＡが汎用通信ケーブル１１０を介して光スイッチ装置１に送信し、これにより、光スイッチ装置１内に登録される。
【００４０】
次に、光スイッチ装置１の構成について説明する。光スイッチ装置１は、図２に示すように、ＦＣ（ファイバチャネル）スイッチデバイス２と、マイコン３と、を備えている。また、光スイッチ１は、上記ホストコンピュータＡ，Ｂ，Ｃ及びディスクアレイ装置Ａ，Ｂ，Ｃとそれぞれ接続された各光伝送ケーブル１０１〜１０６が接続されたファイバチャネルのインタフェースコネクタであるＳＦＰ（Small Form factor Pluggable）４１〜４６を備えている。
【００４１】
そして、上記ＳＦＰ４１〜４６は、ホストコンピュータＡ，Ｂ，Ｃ及びディスクアレイ装置Ａ，Ｂ，Ｃと光伝送ケーブル１０１〜１０６を介して光信号を送受信する送受信手段であり、かつ、送受信する光信号を電気信号に変換する光−電気変換器である。また、これらＳＦＰ４１〜４６は、光スイッチ装置１内でそれぞれＦＣスイッチデバイス２に接続されており、各ＳＦＰ４１〜４６間で接続交換が可能となっている。具体的には、ホストコンピュータＡ，Ｂ，Ｃに接続されたＳＦＰ４１，４２，４３は、ＦＣスイッチデバイス２にて接続交換されることで、それぞれディスクアレイ装置６１，６２，６３に接続されたＳＦＰ４４，４５，４６と接続される。
【００４２】
また、ホストコンピュータＡ，Ｂ，Ｃに接続されたＳＦＰ４１，４２，４３は、図４に示すように、それぞれ光量表示レジスタ４１ａ，４２ａ，４３ａを備えている。これら光量表示レジスタ４１ａ，４２ａ，４３ａは、ＳＦＰのように規格化された光トランシーバが通常備えているものであって、接続されている各光伝送ケーブル１０１，１０２，１０３から受けた光量をレジスタに表示する機能を有する。なお、光伝送ケーブル１０１，１０２，１０３内では、接続されている機器であるホストコンピュータＡ，Ｂ，Ｃが正常に起動している間は光が点滅し、常に光量表示レジスタ４１ａ，４２，ａ４３ａに光量は表示される。逆に、ホストコンピュータＡ，Ｂ，Ｃが停止すると、光の点滅がなくなり、光量表示レジスタ４１ａ，４２ａ，４３ａに表示される光量は「０」となる。
【００４３】
また、上記ＦＣスイッチデバイス２（接続交換手段）は、上述したように、ＳＦＰ４１〜４６間の接続交換を行う。例えば、上述したように光スイッチ装置１内に登録された接続経路情報に基づいて、図３に示すように接続制御を行う。これにより、ホストコンピュータＡ，Ｂ，Ｃとディスクアレイ装置Ａ，Ｂ，Ｃとを相互に接続することができる。
【００４４】
また、マイコン３は、演算装置と記憶装置とを備えたコンピュータである。そして、図３に示すように、マイコン３は、上述したホストコンピュータＡと汎用通信ケーブル１１０を介して接続しており、また、各ＳＦＰ４１〜４６とＩ２Ｃ（Inter-Integrated Circuit）インタフェースを介してそれぞれ接続している。
【００４５】
そして、上記マイコン３は、図４に示すように、演算装置（図示せず）にプログラム組み込まれることによって構築された、接続経路情報登録部３１と、光量監視部３２と、光量消失部３３と、を備えている。さらに、マイコン３は、記憶装置（図示せず）に接続経路情報記憶部３４を構成している。
【００４６】
上記接続経路情報登録部３１は、上述したようにホストコンピュータＡ（５１）から汎用の通信ケーブル１１０を介して送信された接続経路情報を受信し、接続経路情報記憶部３４に登録する。そして、接続経路情報記憶部３４（接続経路情報記憶手段）は、登録されている接続経路情報をＦＣスイッチデバイス２や光量消失部３３に参照可能なよう提供する機能を有する。
【００４７】
また、上記光量監視部３２（光量監視手段（受信状態監視手段））は、ホストコンピュータＡ，Ｂ，Ｃが接続されているＳＦＰ４１，４２，４３の受信光量を監視する。具体的には、光量監視部３２は、予め設定された時間間隔（例えば、１０秒毎）にて、各ＳＦＰ４１，４２，４３に設けられた各光量表示レジスタ４１ａ，４２ａ，４３ａに表示される光量を読み取る。そして、読み取ったホストコンピュータＡ，Ｂ，Ｃからの受信光量が「０」である場合には、そのホストコンピュータＡ，Ｂ，Ｃを特定して、光量消失部３３に通知する。なお、上述したように、受信光量が「０」になる場合とは、ＳＦＰに接続されているホストコンピュータの電源が切断されたときである。但し、本発明における「受信光量０」とは、受信光量がある閾値（例えば「−２０ｄＢｍ」）以下であることを表す。これは、ケーブルが接続されていない状態では、光量が０ではなく微弱光量を検出するケースがあるためである。
【００４８】
また、上記光量消失部３３（光量消失手段（送信停止手段））は、上記光量監視部３２が受信光量の検出を行うごとに作動する。つまり、光量消失部３３は、上記光量監視部３２にて受信光量が「０」となったＳＦＰを検出した場合に、当該ＳＦＰとＦＣスイッチデバイス２にて接続交換されることで接続関係にある他のＳＦＰの送信状態を停止する処理を実行する。具体的に、光量消失部３３は、ホストコンピュータからの受信光量が「０」になった時に、上述した接続経路情報に基づいて、このホストコンピュータと経路上接続されるディスクアレイ装置に接続されているＳＦＰの送信光量を「０」にする制御を行う。このとき、特定のディスクアレイ装置に経路上接続されるホストコンピュータが複数存在する場合には、これら複数のホストコンピュータからの受信光量が全て「０」になった場合に、上記特定のディスクアレイ装置に接続されているＳＦＰの送信光量を「０」にする。なお、光量消失部３３は、例えば、ＳＦＰ４４，４５，４６と接続するSFF committee（業界団体：http://www.sffcommittee.org/ie/）で規定されている「Tx_Disable」という入力ピンに対してHighレベル信号を入力することにより、ＳＦＰの送信光量を「０」にすることができる。
【００４９】
ここで、一例として、登録された接続経路情報が上述したとおり、つまり、図３に示すとおりの場合における、上記光量消失部３３の動作を説明する。まず、ディスクアレイＡにホストＡとホストＢが経路上接続されると設定されている場合には、光量消失部３３は、ホストＡとホストＢにそれぞれ接続されたＳＦＰ４１，４２の受信光量が０となると、ディスクアレイＡが接続されたＳＦＰ４４の送信光量を０にする。また、ディスクアレイＢにホストＡが経路上接続されると設定されている場合には、光量消失部３３は、ホストＡに接続されたＳＦＰ４１の受信光量が０となると、ディスクアレイＢが接続されたＳＦＰ４５の送信光量を０にする。また、ディスクアレイＣにホストＡとホストＢとホストＣが経路上接続されると設定されている場合には、光量消失部３３は、ホストＡとホストＢとホストＣにそれぞれ接続されたＳＦＰ４１，４２，４３の受信光量が０となると、ディスクアレイＣが接続されたＳＦＰ４６の送信光量を０にする。
【００５０】
次に、ディスクアレイ装置Ａ、Ｂ，Ｃの構成ついて、図５を参照して説明する。なお、ディスクアレイ装置はすべて同様の構成であるため、ここでは、ディスクアレイ装置Ａのみの構成を説明する。
【００５１】
図５に示すように、ディスクアレイ装置Ａ（６１）は、自装置が稼働するための電源を供給する電源装置７４を備えている。また、ディスクアレイ装置Ａは、光スイッチ装置１と接続している光伝送ケーブル１０４が接続されたファイバチャネルのインタフェースコネクタ（送受信手段）であるＳＦＰ（光−電気変換器）７１を備えている。そして、ＳＦＰ７１は、接続されている光伝送ケーブル１０４から受けた光量をレジスタに表示する光量表示レジスタ７１ａを備えている。また、ディスクアレイ装置Ａは、演算装置を備えており、当該演算装置にプログラムが組み込まれることで構築された、受信光量検出部７２と、電源制御部７３と、を備えている。
【００５２】
そして、上記受信光量検出部７２（受信停止検出手段）は、上記ＳＦＰ７１の受信光量を監視する。具体的には、受信光量検出部７２は、予め設定された時間間隔（例えば、１０秒毎）にて、ＳＦＰ７１に設けられた光量表示レジスタ７１ａに表示される光量を読み取る。そして、読み取った受信光量が「０」である場合には、その旨を電源制御部７３に通知する。なお、ＳＦＰ７１の受信光量が「０」である場合とは、このＳＦＰ７１に接続された光伝送ケーブル１０４が接続する光スイッチ装置１側のＳＦＰ４４からの送信光量が「０」になった場合である。
【００５３】
また、電源制御部７３（電源切断手段）は、電源装置７４の電源のオン／オフ制御を行う。そして、受信光量検出部７２からＳＦＰ７１の受信光量が「０」となったことの通知を受けると、電源装置７４の動作を制御して、ディスクアレイ装置Ａ自体の電源を切断する。
【００５４】
［動作］
次に、上記構成のストレージシステムの動作を、図６乃至図８を参照して説明する。ここで、図６は、ストレージシステム全体の動作を示すシーケンス図である。また、図７は、光スイッチ装置１の詳細な動作を示すフローチャートであり、図８は、ディスクアレイ装置Ａ，Ｂ，Ｃの詳細な動作を示すフローチャートである。
【００５５】
まず、ホストコンピュータＡ（５１）が、オペレータなどから入力されたホストコンピュータＡ，Ｂ，Ｃとディスクアレイ装置Ａ，Ｂ，Ｃ間の図３に示すような接続関係を表す接続経路情報を、汎用通信ケーブル１１０を介して光スイッチ装置１に送信する（図６のステップＳ１）。そして、ホストコンピュータＡ（５１）から接続経路情報を受信した光スイッチ装置１は、マイコン３内に記憶して登録する（図６のステップＳ２、図７のステップ１１）。これにより、図３に示すような接続経路にて、各ホストコンピュータＡ，Ｂ，Ｃ（ＳＦＰ４１，４２，４３）とディスクアレイ装置Ａ，Ｂ，Ｃ（ＳＦＰ４４，４５，４６）間が接続されるよう、光スイッチ装置１が接続交換を行う（図６のステップＳ３）。
【００５６】
続いて、光スイッチ装置１は、例えば、１０秒間隔で、ホストコンピュータＡ，Ｂ，Ｃが接続されているＳＦＰ４１，４２，４３の受信光量が「０」になったか否かを監視する（図６のステップＳ４、図７のステップＳ１２、受信状態監視工程）。このとき、いずれかのホストコンピュータＡ，Ｂ，Ｃの電源が切断されたとする（図６のステップＳ５）。すると、そのホストコンピュータが光伝送ケーブルで接続されているＳＦＰの受信光量が「０」となるため、当該ＳＦＰの受信光量が「０」となったことを、光スイッチ装置１が検出する（図６のステップＳ６、図７のステップＳ１３でイエス）。
【００５７】
そして、光スイッチ装置１は、接続経路情報を参照して、あるディスクアレイ装置に経路上接続される全てのホストコンピュータからの受信光量が「０」となっているか否かを調べる（図７のステップＳ１４）。そして、光スイッチ装置１は、経路上接続されている全てのホストコンピュータからの受信光量が「０」であるディスクアレイ装置が存在すると（図７のステップＳ１４でイエス）、このディスクアレイ装置に接続されているＳＦＰの送信光量を「０」にするよう制御する（図６のステップＳ７、図７のステップＳ１５、送信停止工程）。
【００５８】
ここで、一例として、登録された接続経路情報が図３に示すとおりの場合における上記動作を詳細に説明する。まず、ディスクアレイＡにホストＡとホストＢが経路上接続されると設定されている場合には、ホストＡとホストＢにそれぞれ接続されたＳＦＰ４１，４２の受信光量が０となると、ディスクアレイＡが接続されたＳＦＰ４４の送信光量を０にする。また、ディスクアレイＢにホストＡが経路上接続されると設定されている場合には、ホストＡに接続されたＳＦＰ４１の受信光量が０となると、ディスクアレイＢが接続されたＳＦＰ４５の送信光量を０にする。また、ディスクアレイＣにホストＡとホストＢとホストＣが経路上接続されると設定されている場合には、ホストＡとホストＢとホストＣにそれぞれ接続されたＳＦＰ４１，４２，４３の受信光量が０となると、ディスクアレイＣが接続されたＳＦＰ４６の送信光量を０にする。
【００５９】
続いて、ディスクアレイ装置Ａ，Ｂ，Ｃでは、自装置に装備されているＳＦＰ７１の受信光量を監視して（図８のステップＳ２１）、当該受信光量が「０」になったことを検出したとする（図６のステップＳ８、図８のステップＳ２２、受信停止検出工程）。このように受信光量が「０」であることを検出したディスクアレイ装置は、自装置に経路上接続される全てのホストコンピュータの電源が切られていることとなる。すると、このディスクアレイ装置は、自装置の電源を切断するよう制御する（図６のステップＳ９、図８のステップＳ２３、電源切断工程）。
【００６０】
以上のように、本実施形態によると、光スイッチ装置を介して接続されたホストコンピュータとディスクアレイ装置のように電源切断順序が決まっている場合であっても、接続されるホストコンピュータの電源切断に応じて、自動的にディスクアレイ装置の電源を切断することができる。このとき、別途、特別に装置を設ける必要がなく、スイッチ装置に上述した機能装備することで実現できるため、低コストにて消費電力の低減を図ることができる。
【００６１】
ここで、上記では、一般的なファイバチャネル対応のディスクアレイ装置を用いた例を例示したが、ＳＦＰを用いた光ファイバ接続可能な他のディスクアレイ装置であっても同様に実現できる。例えば、IEEE（Institute of Electrical and Electronic Engineers）802.3ah等の光ファイバEthernet（登録商標）で接続されたiSCSI（Internet Small
Computer System Interface）対応のディスクアレイ装置でも実施可能である。
【００６２】
また、上記では、ホストコンピュータとディスクアレイ装置とが光スイッチ装置を介して接続交換されている場合を説明したが、接続交換される装置は、他のストレージ装置であってもよい。さらに、上記光スイッチ装置は、いかなる機器同士を接続交換する場合にも適用可能である。
【００６３】
＜実施形態２＞
次に、本発明の第２の実施形態を、図９を参照して説明する。本実施形態では、上述したように光伝送ケーブルを用いて接続された機器間を接続交換する光スイッチ装置に限らず、光通信を用いない一般的な通信ケーブルにて接続された所定の機器間の接続交換を行うスイッチ装置を用いている。
【００６４】
具体的に、図９に示す接続システムでは、機器Ａ，Ｂ，Ｃと機器ａ，ｂ，ｃとが、通信ケーブルを介してスイッチ装置２０１に接続している。そして、スイッチ装置は、通信ケーブルが接続され、各機器との信号の送受信を行う各コネクタ（送受信手段）２４１〜２４６を備えている。また、スイッチ装置２０１は、上記各コネクタ２４１〜２４６が接続されたスイッチデバイス２０２（接続交換手段）を備えており、このスイッチデバイス２０２にて、上記各コネクタ２４１〜２４６間の接続交換を行っている。これにより、スイッチ装置２０１にて、各機器Ａ，Ｂ，Ｃ，ａ，ｂ，ｃ間の接続交換を行っている。
【００６５】
そして、本実施形態におけるスイッチ装置２０１は、装備されたマイコン２０３にプログラムが組み込まれることによって構築された、受信状態監視部２３１（受信状態監視手段）と、送信停止部２３２（送信停止手段）と、を備えている。
【００６６】
上記受信状態監視部２３１は、上記実施形態１で説明した光スイッチ装置１が備える光量監視部３２と同様に、機器Ａ，Ｂ，Ｃが接続されたコネクタ２４１，２４２，２４３の受信状態を監視する。例えば、受信状態監視部２３１は、コネクタ２４１，２４２，２４３がクロック信号などの所定の信号を受信していないことを検出することで、当該コネクタに接続されている機器の電源が切断されていることを検出する。
【００６７】
また、上記送信停止部２３２は、上述したように、受信状態監視部２３１にて信号を受信していないコネクタを検出すると、当該コネクタと接続関係にある他の機器ａ，ｂ，ｃと接続されている他のコネクタに、信号送信を停止する処理を行う。例えば、対象となるコネクタに対して所定の信号を送ることで、クロック信号の送出を停止するなど、当該コネクタの作動状態を信号送信不可能な状態に制御する。このとき、経路上接続される全ての機器Ａ，Ｂ，Ｃからの信号を受信していない他の機器ａ，ｂ，ｃが接続した他のコネクタに対して、信号送信停止処理を行う。ここで、送信停止部２３２は、上記実施形態１と同様に、予め設定された機器間の接続関係を表す接続経路情報を参照して、上記処理を行う。なお、接続経路情報は、マイコン２０３内に記憶されていてもよく、あるいは、スイッチ装置２０１外に記憶されているものを参照してもよい。
【００６８】
そして、他の機器ａ，ｂ，ｃは、信号送信停止となったコネクタ２４４の受信状態を検出する。例えば、他の機器ａ，ｂ，ｃは、自機器内に装備されたスイッチ装置２０１と接続するためのコネクタ（図示せず）がクロック信号を受信しているか否かを監視する。そして、クロック信号を受信していなければ、他の機器ａ，ｂ，ｃは、自機器に経路上接続されうる機器Ａ，Ｂ，Ｃの電源が切断されていると判断できるため、自動的に電源を切断する。
【産業上の利用可能性】
【００６９】
本発明は、ＳＡＮといったストレージネットワークなどの機器同士がスイッチ装置を介して接続されたシステムに利用することができ、産業上の利用可能性を有する。
【図面の簡単な説明】
【００７０】
【図１】実施形態１におけるシステム全体の構成を示すブロック図である。
【図２】図１に開示した光スイッチ装置の内部構成を示すブロック図である。
【図３】図１に開示した光スイッチ装置による各機器の接続経路の一例を示す図である。
【図４】図１に開示した光スイッチ装置の詳細な構成を示す機能ブロック図である。
【図５】図１に開示したディスクアレイ装置の構成を示す機能ブロック図である。
【図６】図１に開示したシステム全体の動作を示すシーケンス図である。
【図７】図１に開示した光スイッチ装置の動作を示すフローチャートである。
【図８】図１に開示したディスクアレイ装置の動作を示すフローチャートである。
【図９】実施形態２におけるシステム全体の構成を示すブロック図である。
【符号の説明】
【００７１】
１  光スイッチ装置
２  ＦＣスイッチデバイス
３  マイコン
３１  接続経路情報登録部
３２  光量監視部
３３  光量消失部
３４  接続制御情報記憶部
４１，４２，４３，４４，４５，４６，７１  ＳＦＰ
４１ａ，４２ａ，４３ａ，７１ａ  光量表示レジスタ
５１  ホストコンピュータＡ
５２  ホストコンピュータＢ
５３  ホストコンピュータＣ
６１  ディスクアレイ装置Ａ
６２  ディスクアレイ装置Ｂ
６３  ディスクアレイ装置Ｃ
７２  受信光量検出部
７３  電源制御部
７４  電源装置
１０１，１０２，１０３，１０４，１０５，１０６  光伝送ケーブル
１１０  汎用通信ケーブル
２０１  スイッチ装置
２０２  スイッチデバイス
２０３  マイコン
２３１  受信状態監視部
２３２  送信停止部
２４１，２４２，２４３，２４４，２４５，２４６  コネクタ
【図１】
2010080999.tif 000003
【図２】
2010080999.tif 000004
【図３】
2010080999.tif 000005
【図４】
2010080999.tif 000006
【図５】
2010080999.tif 000007
【図６】
2010080999.tif 000008
【図７】
2010080999.tif 000009
【図８】
2010080999.tif 000010
【図９】
2010080999.tif 000011